(57)【要約】【課題】操作の利便性を高めるとともに、嵌合構造等の複雑な構成を必要とすることなく、電子機器の被接続端子と接続端子との間の接続不良を低減できるマイク用充電装置を提供する。【解決手段】マイク用充電装置１００は、マイク装置の装着・抜去動作に応じて、充電端子部４１を覆う被覆位置および充電端子部４１を露出させる露出位置の間を移動可能に設けられた防塵シャッター３０と、被覆位置と露出位置との間で、基本付勢力を防塵シャッター３０に付与するトーションバネ４６と、被覆位置と露出位置との間に設けられた追加付勢区間で、基本付勢力に加えて追加付勢力を防塵シャッター３０に付与して、追加付勢状態とする板バネ４７１、４７２とを備えている。板バネ４７１、４７２は防塵シャッター３０が露出位置に達したとき追加付勢状態を開放する。【選択図】図１
2008219990.tif 000002
【特許請求の範囲】
【請求項１】
被接続端子を有する電気機器が装着される装着部を有する筐体と、
前記電気機器が前記装着部に装着されたときに、前記被接続端子に接続される接続端子と、
前記接続端子を覆うために設けられ、前記電子機器の前記装着部への装着動作または抜去動作に応じて、前記接続端子を覆う被覆位置および前記接続端子を露出させる露出位置の間を移動可能に設けられた被覆部材と、
前記被覆位置と前記露出位置との間で、前記露出位置から前記被覆位置への方向に向けて基本付勢力を前記被覆部材に付与する第１の付勢部材と、
前記被覆位置および前記露出位置の間に設けられた追加付勢区間で、前記露出位置から前記被覆位置への方向に向けて前記被覆部材を付勢することにより、前記基本付勢力に加えて追加付勢力を前記被覆部材に付与して、追加付勢状態とする第２の付勢部材とを備え、
前記第２の付勢部材は、前記被覆部材が前記追加付勢区間の終端に達したとき、当該第２の付勢部材による前記被覆部材の前記追加付勢状態を開放することを特徴とする防塵機能付の電気機器接続装置。
【請求項２】
前記被覆部材は、前記第２の付勢部材に当接する当接部を有し、
前記第２の付勢部材は、前記筐体に保持され、前記被覆位置から前記露出位置の方向に向けて延びて設けられており、かつ、前記被覆部材に向けて屈曲する段差部を有する板バネにより構成され、
前記追加付勢区間は、前記被覆部材が前記被覆位置から移動して、前記当接部が前記段差部に当接する位置から、前記当接部が前記段差部を乗り越える位置までの区間であることを特徴とする請求項１に記載の防塵機能付の電気機器接続装置。
【請求項３】
前記被覆部材が前記被覆位置から移動して前記追加付勢区間の終端に達したとき、前記追加付勢力に対抗して、前記電気機器を前記装着部に装着するための装着力が、前記接続端子に前記被接続端子を接続するための端子接続荷重よりも大きくなるように、前記第２の付勢部材が設けられていることを特徴とする請求項１または２に記載の防塵機能付の電気機器接続装置。
【発明の詳細な説明】
【技術分野】
【０００１】
本発明は、被接続端子を有する電気機器が装着される電気機器接続装置に関し、特に、防塵機能を有する電気機器接続装置に関する。
【背景技術】
【０００２】
従来から、電気機器を装着する電気機器接続装置が広く用いられている。電気機器は、マイク装置、携帯電話機、電子手帳等に代表され、電気機器接続装置は、電気機器を充電するための充電装置等に代表される。この技術では、電気機器には、二次電池に接続された被接続端子が設けられており、充電装置には、電気機器の被接続端子に接続される接続端子が設けられている。そして、電気機器を充電装置に装着することにより、電気機器の被接続端子が充電装置の接続端子に接続されて、電気機器の二次電池が充電される。
【０００３】
このような電気機器の充電装置では、電気機器が装着されていないときに接続端子が露出していると、接続端子に塵が付着してしまい、接続端子および被接続端子の間で接続不良が生じることがある。
【０００４】
これに対して、特許文献１では、接続端子（充電用端子１２）を塵の付着から保護するために、接続端子を被覆する防塵シャッター（スライドカバー２１）を設けた充電装置が提案されている。この従来技術では、バッテリーパックを充電装置に装着しないときには、防塵シャッターで充電用端子を覆い、バッテリーパックを充電装置に装着するときには、バッテリーパックの装着動作に連動して、充電用端子を露出させている。
【０００５】
また、特許文献１では、被接続端子（バッテリーパックの充電用端子１２）と接続端子（充電器の充電用端子４５）との間における接続不良を無くすため、バッテリーパックを充電装置に装着した際に被接続端子が接続端子に確実に接続されるように、バッテリーパックの筐体に嵌合爪（爪５０）を設け、充電装置の筐体に嵌合凹部（凹部５ａ）を設けて、バッテリーパックが充電装置に装着される時にバッテリーパックの嵌合穴と充電装置の嵌合爪とを互いに嵌合させている。そして、バッテリーパックの嵌合爪と充電装置の嵌合凹部とが互いに嵌合する際に生じるクリック感やクリック音によって、バッテリーパックが充電装置に装着されたことが操作者に知らされる。
【特許文献１】特開２００４−１４７３６０号公報
【発明の開示】
【発明が解決しようとする課題】
【０００６】
しかしながら、特許文献１に記載の従来の電気機器接続装置においては、手で防塵シャッターを移動させる操作を必要とせず、操作利便性が良いものの、被接続端子と接続端子の確実な接続を保障するために、嵌合爪や嵌合凹部などの嵌合構造を電気機器または充電装置の筐体に設けなければならないという問題があった。
【０００７】
本発明は、上記従来の問題を解決するためになされたもので、操作の利便性を高めるとともに、嵌合構造等の複雑な構成を必要とすることなく、電子機器の被接続端子と接続端子との間の接続不良を低減できる防塵機能付の電気機器接続装置を提供することを目的とする。
【課題を解決するための手段】
【０００８】
本発明に係る防塵機能付の電気機器接続装置は、被接続端子を有する電気機器が装着される装着部を有する筐体と、前記電気機器が前記装着部に装着されたときに、前記被接続端子に接続される接続端子と、前記接続端子を覆うために設けられ、前記電子機器の前記装着部への装着動作または抜去動作に応じて、前記接続端子を覆う被覆位置および前記接続端子を露出させる露出位置の間を移動可能に設けられた被覆部材と、前記被覆位置と前記露出位置との間で、前記露出位置から前記被覆位置への方向に向けて基本付勢力を前記被覆部材に付与する第１の付勢部材と、前記被覆位置および前記露出位置の間に設けられた追加付勢区間で、前記露出位置から前記被覆位置への方向に向けて前記被覆部材を付勢することにより、前記基本付勢力に加えて追加付勢力を前記被覆部材に付与して、追加付勢状態とする第２の付勢部材とを備え、前記第２の付勢部材は、前記被覆部材が前記追加付勢区間の終端に達したとき、当該第２の付勢部材による前記被覆部材の前記追加付勢状態を開放する構成を有している。
【０００９】
この構成により、被覆部材を付勢する第１の付勢部材を設けたことにより、電気機器の装着動作または抜去動作に連動して被覆部材が移動して、接続端子が露出または被覆されるので、操作利便性が良い。また、第１の付勢部材に加えて第２の付勢部材が設けられ、被覆部材の移動過程で追加付勢区間にて、第１の付勢部材の基本付勢力に第２の付勢部材の追加付勢力が加わり、電気機器を装着するための装着力が増大する。この第２の付勢部材による追加付勢状態が、被覆部材が追加付勢区間の終端に達したときに開放される。これにより、開放直前の強い装着力でもって、接続端子と被接続端子とが勢いよく接続される。このようにして、嵌合構造等の複雑な構成を必要とすることなく、電子機器の被接続端子と接続端子との間の接続不良を低減できる。従って、操作の利便性を高めるとともに、嵌合構造等の複雑な構成を必要とすることなく、電子機器の被接続端子と接続端子との間の接続不良を低減できる。
【００１０】
また、本発明に係る防塵機能付の電気機器接続装置において、前記被覆部材は、前記第２の付勢部材に当接する当接部を有し、前記第２の付勢部材は、前記筐体に保持され、前記被覆位置から前記露出位置の方向に向けて延びて設けられており、かつ、前記被覆部材に向けて屈曲する段差部を有する板バネにより構成され、前記追加付勢区間は、前記被覆部材が前記被覆位置から移動して、前記当接部が前記段差部に当接する位置から、前記当接部が前記段差部を乗り越える位置までの区間である。
【００１１】
この構成により、追加付勢区間における被覆部材に対する適切な追加付勢力の付与を、段差部を有する板バネを設けるという簡単な構成により実現できる。従って、嵌合構造等の複雑な構成を必要とすることなく、電子機器の被接続端子と接続端子との間の接続不良を低減できる。
【００１２】
また、本発明に係る防塵機能付の電気機器接続装置において、前記被覆部材が前記被覆位置から移動して前記追加付勢区間の終端に達したとき、前記追加付勢力に対抗して、前記電気機器を前記装着部に装着するための装着力が、前記接続端子に前記被接続端子を接続するための端子接続荷重よりも大きくなるように、前記第２の付勢部材が設けられている構成を有する。
【００１３】
この構成により、電気機器接続装置に装着する際の装着力が、接続端子が被接続端子に接続するための端子接続荷重よりも確実に大きくなるので、接続端子を被接続端子に確実に接続できる。この結果、電子機器の被接続端子と接続端子との間の接続不良を低減できる。
【発明の効果】
【００１４】
本発明は、上記のように、第１および第２の付勢部材を設けたことにより、操作の利便性を高めるとともに、嵌合構造等の複雑な構成を必要とすることなく、電子機器の被接続端子と接続端子との間の接続不良を低減できるという効果を有する防塵機能付の電気機器接続装置を提供することができるものである。
【発明を実施するための最良の形態】
【００１５】
以下、本発明の実施の形態における電気機器接続装置について、図面を用いて説明する。本実施の形態では、電気機器接続装置がマイク用充電装置である。本実施の形態におけるマイク用充電装置の構成を、図１〜図３に示す。また、マイク用充電装置と、これに装着されるマイク装置との関係を図４〜図６に示す。説明の便宜上、まず、図４〜図６を用いて、マイク用充電装置とマイク装置とを含む全体的な構成について説明し、その後に、図１〜図３を用いて、マイク用充電装置の構成について詳細に説明する。
【００１６】
図４〜図６に示されるように、本実施の形態におけるマイク用充電装置１００は、マイク装置１、２を装着可能に構成されている。電子機器としてのマイク装置１、２には、充電可能な二次電池（不図示）が内蔵されている。マイク装置１は、手で把持して使用するためのハンドマイク式マイクである。マイク装置２は、例えば首から紐で吊り下げて使用するためのペンダント式マイクである。
【００１７】
防塵機能付の電気機器接続装置としてのマイク用充電装置１００は、筐体１０の上面に装着部２０を有しており、この装着部２０にマイク装置１、２が装着される。装着部２０にはアダプター３を取付けることができ、このアダプター３はハンドマイク式のマイク装置１を装着部２０に装着する際に用いられる。アダプター3には貫通穴３ａが形成されており、この貫通穴３ａにマイク装置１のグリップ部が挿入される。なお、貫通穴３ａの内径はマイク装置１のグリップ部に外径に対応して設定されている。上記のように、マイク用充電装置１００には、ハンドマイク式のマイク装置１と、ペンダント式のマイク装置２とを装着可能であるが、以下では、主として、ハンドマイク式のマイク装置１を装着する場合について、説明する。
【００１８】
次に、本発明の実施の形態におけるマイク用充電装置１００の構成について、説明する。図１はマイク用充電装置の内部構成を示す分解斜視図であり、図２は外観斜視図である。マイク装置充電装置１００は、筐体１０と、防塵シャッター３０と、充電端子部ＡＳＳＹ４０とを備えている。また、筺体１０は上筺体１１および下筺体１２で構成されており、上筐体１１および下筐体１２を互いに嵌め合わせることにより、防塵シャッター３０および充電端子部ＡＳＳＹ４０が、筐体１０の内部に収容される。以下の説明では、筺体１０の前面側を前側といい、筺体１０の背面側を後側という。
【００１９】
上筐体１１には、装着部２０と、取り付け凹部１１１と、シャッター用開口部１１２と、凸状ガイドレール１１３とが形成されている。装着部２０は、上筐体１１の上面に形成された凹部であり、装着部２０には上述の通り、マイク装置１が装着される。取り付け凹部１１１は、上筐体１１の上面に形成された凹部であり、上述したアダプター３を装着部２０に取り付けるために用いられる。
【００２０】
シャッター用開口部１１２は、上筐体１１の装着部２０の内側に形成されている。防塵シャッター３０が筐体１０の内部に収容されたとき、このシャッター用開口部１１２には、防塵シャッター３０が移動可能な状態で嵌め込まれる。これにより、防塵シャッター３０が凹状の装着部２０の内側に配置される。凸状ガイドレール１１３は、上筐体１１のシャッター用開口部１１２の上部内壁面に、上筐体１１の前側から後側に向けて延在するように、形成された凹部からなる。凸状ガイドレール１１３は、防塵シャッター３０の被ガイド溝３３と嵌め合うことで、防塵シャッター３０の移動方向を規制する。
【００２１】
被覆部材としての防塵シャッター３０は、後述の充電端子部４１を被覆するために、充電端子部ＡＳＳＹ４０に取り付けられる。防塵シャッター３０は樹脂成形により形成されている。防塵シャッター３０には、摺動傾斜面３１と、端子用開口部３２と、被ガイド溝３３と、一対の板バネ当接部３５とが形成されている。
【００２２】
図１に示されるように、摺動傾斜面３１は、防塵シャッター３０の上面に設けられており、筺体１０の前側から後側に向うにつれて、底部３４からの高さが高くなるように形成されている。また、摺動傾斜面３１は、マイク装置１を装着部２０に装着する際に、マイク装置１の下端部が当該摺動傾斜面３１の表面上を摺動するように設けられている。これにより、マイク装置1の装着動作に伴って、マイク装置１が摺動傾斜面３１に押し付けられると、防塵シャッター３０が後側に移動すると共に、マイク装置１の下端部が摺動傾斜面３１の表面に接触した状態で、摺動傾斜面３１を滑り降りていく。
【００２３】
端子用開口部３２は、防塵シャッター３０の前側壁面の下部４に設けられており、後述の充電端子部４１の形状に対応する形状の切り欠きである。防塵シャッター３０の移動に応じて、充電端子部４１が端子用開口部３２を通り、これによって、充電端子部４１が被覆されたり露出されたりする。
【００２４】
被ガイド溝３３は、防塵シャッター３０の上面に、前側から後側に向けて延在するように、溝状に形成されている。被ガイド溝３３は、上筐体１１の凸状ガイドレール１１３と嵌り合うことで、防塵シャッター３０の移動方向を規制する。このようにして、防塵シャッター３０が、前側から後側の方向またはこの逆の方向に向けて、移動可能となる。一対の板バネ当接部３５は、防塵シャッター３０の両側面の後端下部にそれぞれ形成されており、各々の板バネ当接部３５は、上下方向に延びる細長い突起部である。これら一対の板バネ当接部３５は、後述の一対の板バネ４７１、４７２に当接するように設けられている。
【００２５】
次に、充電端子部ＡＳＳＹ４０の構成について、図に基づいて詳細に説明する。図３は、充電端子部ＡＳＳＹ４０の分解斜視図である。図３に示されるように、充電端子部ＡＳＳＹ４０は、充電端子部４１と、上端子ケース４２と、下端子ケース４３と、吸音シート４４と、ベース板４５と、トーションバネ４６と、一対の板バネ４７１、４７２とを備えている。下端子ケース４３と、充電端子部４１と、上端子ケース４２と、吸音シート４４と、ベース板４５とが、順次重ね合わせられて、ねじ４８ａ〜４８ｃにより締結される。充電端子部ＡＳＳＹ４０は、後述の下筺体１２の複数の充電端子部ＡＳＳＹ用取り付けボス１２２ａ〜１２２ｄの上に取り付けられて、筺体１０に保持される。
【００２６】
接続端子としての充電端子部４１は、マイク装置１が装着部２０に装着されたとき、マイク装置１に設けられた被接続端子としての受電端子（不図示）に接続される。充電端子部４１は、図６に示されるような円筒型のコネクタである。充電端子部４１は、電源ケーブル等により外部電源に接続可能な電源コネクタ（不図示）に接続されている。なお、充電端子部４１は、図６に示されるようなコネクタ構造に限定されず、これ以外のコネクタ構造であってもよい。
【００２７】
上端子ケース４２および下端子ケース４３は、それらの内面間で充電端子部４１を挟持して保持できるように構成されている。下端子ケース４３には、ねじ穴４３１ａ〜４３１ｃが形成されており、取り付けねじ４８ａ〜４８ｃは上端子ケース４２の穴４２１ａ〜４２１ｃを通して、下端子ケース４３に締め付けられる。上端子ケース４２の中央部には突起部４２２が形成されており、突起部４２２には充電端子部４１の先端部を貫通するための貫通穴４２３が形成されている。また、下端子ケース４３の内面には、充電端子部４１が配置される凹部４３２が形成されている。
【００２８】
吸音シート４４は、上端子ケース４２とベース板４５との間に介在され、マイク装置１の装着動作に伴う衝撃音を吸収するために設けられている。また、吸音シート４４には、取り付けねじ４８ａ〜４８ｃ用の穴４４１ａ〜４４１ｃおよび貫通穴４４２が形成されている。貫通穴４４２の内側には、上端子ケース４２の突起部４２２が配置される。吸音シート４４には例えば天然ゴム等の弾性シートが用いられる。
【００２９】
ベース板４５は、吸音シート４４上に配置されており、上端子ケース４２との間で吸音シート４４を挟持するように設けられている。ベース板４５の底板４５３には、取り付けねじ４８ａ〜４８ｃ用の穴４５１ａ〜４５１ｃが形成されている。また、ベース板４５の底板４５３には、上端子ケース４２の突起部４２２が配置される貫通穴４５２が形成されている。ベース板４５には、一対の側壁部４５４ａ、４５４ｂが設けられており、この一対の側壁部４５４ａ、４５４ｂには、板バネ４７１、４７２を取り付けるためのねじ穴４５５ａ、４５５ｂがそれぞれ形成されている。ベース板４５の底板４５３には、トーションバネ４６を取り付けるためのトーションバネ取り付け部４５６が形成されている。
【００３０】
第１の付勢部材としてのトーションバネ４６は、コイル軸部４６１ａ、４６１ｂのまわりにねじりの荷重を受けるバネである。コイル軸部４６１ａ、４６１ｂは、ベース板４５のトーションバネ取り付け部４５６に取り付けられる。トーションバネ４６には、コイル軸部４６１ａ、４６１ｂを中心に、コの字状（Ｕ字状）の第１の端部４６２と、第２の端部４６３ａ、４６３ｂとが両側にそれぞれ設けられている。第１の端部４６２は、２つのコイル軸部４６１ａ、４６１ｂを接続しており、これにより、トーションバネ４６が１つの部品で構成されている。コイル軸部４６１ａ、４６１ｂがベース板４５のトーションバネ取り付け部４５６に取り付けられたとき、第２の端部４６３ａ、４６３ｂがベース板４５の底板４５に当接され、かつ、第１の端部４６２が防塵シャッター３０に当接されて、これによりトーションバネ４６が防塵シャッター３０を前側に付勢する。
【００３１】
第２の付勢部材としての一対の板バネ４７１、４７２は、例えば、りん青銅等の材料からなる弾性部材で構成されている。板バネ４７１、４７２は、根元部分が折り曲げられて、取り付け部４７１ａ、４７１ｂが形成されている。取り付け部４７１ａ、４７２ａには、取り付けねじ４９ａ、４９ｂ用の穴４７１ｃ、４７２ｃが形成されている。取り付け部４７１ａ、４７２ａが、取り付けねじ４９ａ、４９ｂによって締め付けられて、充電端子部４１の少し後側の位置にて、ベース板４５０の側壁部４５５ａ、４５５ｂに固定される。このようにして、板バネ４７１、４７２が充電端子部ＡＳＳＹ４０を介して筺体１０に保持される。
【００３２】
板バネ４７１、４７２は、充電端子部４１から離れる方向、すなわち、筐体１０の前側から後側の方向に延びるように配置されている。板バネ４７１、４７２は、後側方向、かつ、防塵シャッター３０に向けて斜めに延びており、先端部４７１ａ、４７２ｂの手前にて屈曲することにより段差部４７１ｄ、４７２ｄが設けられている。段差部４７１ｄ、４７２ｄは、防塵シャッター３０に向けて折れ曲がり、それから後側方向に再び折れ曲がる構造を有している。
【００３３】
板バネ４７１、４７２は、マイク装置１の装着に伴って、防塵シャッター３０が後方に移動する前は、防塵シャッター３０に接触しない場所に配置されている。そして、防塵シャッター３０が後方にスライドしてくると、上記の段差部４７１ｄ、４７２ｄが防塵シャッター３０の板バネ当接部３５に当接するように、板バネ４７１、４７２とそれらの段差部４７１ｄ、４７２ｄが配置されている。
【００３４】
防塵シャッター３０が段差部４７１ｄ、４７２ｄに当接すると、板バネ４７１、４７２の付勢力が防塵シャッター３０に付与される。防塵シャッター３０がさらに移動すると、段差部４７１ｄ、４７２ｄが押されて、板バネ４７１、４７２が撓み変形し、そして、防塵シャッター３０は段差部４７１ｄ、４７２ｄを乗り越えてさらに後方に移動して、最終的に充電端子部４１を露出させる。
【００３５】
下筺体１２には、複数の上筺体取り付けボス１２１ａ〜１２１ｆと、複数の充電端子部取り付け用ボス１２２ａ〜１２２ｄとが、形成されている。複数の上筺体取り付けボス１２１ａ〜１２１ｆは、下筺体１２の底面１２３に対して略垂直方向に立設された円柱形状のボスである。上筺体取り付けボス１２１ａ〜１２１ｆの中心部には取り付け穴１２４ａ〜１２４ｆがそれぞれ形成されている。充電端子部取り付け用ボス１２２ａ〜１２２ｄは、底面１２３に対して略垂直方向に、底面１２３から延出して形成されている。上筺体取り付けボス１２１ａ〜１２１ｆを用いて、上筺体１１および下筺体１２が互いに嵌り合い、両者が組みつけられる。このとき、充電端子部ＡＳＳＹ４０が上筺体１１および下筺体１２に挟まれ、充電端子部取り付け用ボス１２２ａ〜１２２ｄの先端部に支持される。これにより、充電端子部ＡＳＳＹ４０が筺体１０に保持される。
【００３６】
以上に、本実施の形態に係るマイク充電装置１００の各部構成について説明した。上述のように、本実施の形態では、防塵シャッター３０が、第１の付勢部材であるトーションバネ４６と第２の付勢部材である板バネ４７１、４７２といった２種類の付勢部材によって、付勢されている。これらの付勢部材の付勢力とその作用位置は、下記のように設定されている。
【００３７】
まず、付勢力の作用位置を説明するために、防塵シャッター３０の位置を以下のように定義する。マイク装置１の装着に伴って防塵シャッター３０が移動する前の位置、すなわち、防塵シャッター３０が充電端子部４１を被覆する位置を、被覆位置Ｘと呼ぶ。また、マイク装着が完了し、防塵シャッター３０が充電端子部４１を露出させている位置を、露出位置Ｙと呼ぶ。
【００３８】
さらに、板バネ４７１、４７２の付勢力が防塵シャッター３０に加わる区間を、追加付勢区間という。この追加付勢区間は、防塵シャッター３０の板バネ当接部３５が板バネ４７１、４７２の段差部４７１ｄ、４７２ｄに当接してから、段差部４７１ｄ、４７２ｄを乗り越えるまでの移動区間である。
【００３９】
トーションバネ４６は、被覆位置Ｘから露出位置Ｙまでの全体で付勢力を防塵シャッター３０に付与する。この付勢力を基本付勢力Ｆ１と呼ぶ。板バネ４７１、４７２の付勢力は、上記のトーションバネ４６の基本付勢力Ｆ１に対して、途中で追加される。そこで、板バネ４７１、４７２の追加付勢力をＦ２と呼ぶ。追加付勢力Ｆ２は、上記追加付勢区間で付与される。この追加付勢状態は、追加付勢区間の終端で開放される。
【００４０】
基本付勢力Ｆ１は、マイク非装着時に防塵シャッター３０を閉じて、被覆位置Ｘに保持するために作用する。また、マイク抜去時に防塵シャッター３０を露出位置Ｙから被覆位置Ｘまで戻すために作用する。これらの要求が満たされる範囲で、基本付勢力Ｆ１は比較的小さく設定されており、これによりスムーズなシャッター動作が得られる。
【００４１】
追加付勢力Ｆ２は、以下に説明するように、マイク装置１の受電端子（不図示）が充電端子部４１に確実に接続される大きさに設定される。マイク装置１を装着するとき、バネ付勢力を上回る装着力がマイク装置１に対して装着方向に付与される。追加付勢区間では、板バネ４７１、４７２の追加付勢力Ｆ２が加わるので、この追加付勢力Ｆ２と基本付勢力Ｆ１の合力に対抗する装着力がマイク装置１に付与される。ここで、マイク装置１の装着力をマイク装着力Ｆｍとし、また、端子同士の接続荷重（マイク装置１の受電端子が充電端子部４１に接続または嵌合するための荷重）を端子接続荷重Ｆｔとする。本実施の形態では、追加付勢区間の終端位置にて、マイク装着力Ｆｍが端子接続荷重Ｆｔ以上になるように、追加付勢力Ｆ２が設定される。これにより、追加付勢区間の終端で、板バネ４７１、４７２の追加付勢状態が開放されたときには、追加付勢状態の開放前のマイク装着力Ｆｍとして、端子接続荷重Ｆｔ以上の荷重が、マイク装置１に作用する。
【００４２】
なお、本実施の形態では、防塵シャッター３０が板バネ４７１、４７２の段差部４７１ｄ、４７２ｄを乗り越えた後も板バネ４７１、４７２が引き続き、先端部４７１ｂ、４７２ｂにて防塵シャッター３０に接する。従って、板バネ４７１、４７２の付勢力は追加付勢区間の後も小さいながら残留する。この例に見られるように、本発明の範囲で、追加付勢区間の外にて、第２の付勢部材の付勢力が０とならなくてもよい。なお、より詳細には、上記の残留付勢力による装着力低下分も考慮して、端子接続力荷重Ｆｔよりも大きなマイク装着力Ｆｍを得られるように、第２の付勢部材の付勢力Ｆ２を設定することが好適である。
【００４３】
次に、本発明の実施の形態におけるマイク装置充電装置１００の動作について、特に、マイク装置の装着動作に応じて、防塵シャッターが移動する動作を、図７〜図１２に基づいて説明する。図７は、マイク装置を装着部に装着する前の状態（以下、防塵シャッター閉状態という）を示す断面斜視図、図８は、マイク装置を装着部に装着する途中の状態（以下、防塵シャッター中間状態という）を示す断面斜視図、図９は、マイク装置を装着部に装着した後の配置状態（以下、防塵シャッター開状態という）を示す断面斜視図である。
【００４４】
なお、図７〜図９では、上筺体１１、アダプター３、防塵シャッター３０および充電端子部ＡＳＳＹ４０を、充電端子部４１の中心部を通る切断線で切断した状態で示している。また、図７〜図９では、ハンドマイク式のマイク装置１を装着部２０に装着する例を示している。但し、防塵シャッター３０やトーションバネ４６や板バネ４７１、４７２の動作は、ペンダント式のマイク装置２を装着部２０に装着する場合も同じである。
【００４５】
また、図１０は、マイク装置の装着動作に応じて、防塵シャッターが移動する動作を説明するための上面図であって、図１０（ａ）は防塵シャッター閉状態を示す上面図、図１０（ｂ）は、防塵シャッター中間状態を示す上面図、図１０（ｃ）は、防塵シャッター開状態を示す上面図である。なお、図１０（ａ）〜図１０（ｃ）では、マイク用充電装置１００の内部構造を、上筺体１１を外した状態で示している。図１０（ａ）〜図１０（ｃ）に示される防塵シャッター３０の板バネ当接部３５ａ、３５ｂは、図５で示された板バネ当接部３５と同一である。後述の図１２（ａ）〜図１２（ｃ）においても同様である。図５では、一対の板バネ当接部３５ａ、３５ｂの総称として、符号３５を用いている。
【００４６】
また、図１１は、防塵シャッター中間状態における防塵シャッターの板バネ当接部周辺の拡大図であって、図１０（ｂ）のＡ部詳細拡大図である。
図１２は、防塵シャッターが移動する動作を説明するための上面図であって、特に防塵シャッターと板バネとの配置関係を示す図である。図１２（ａ）は防塵シャッター閉状態を示し、図１２（ｂ）は防塵シャッター中間状態を示し、図１２（ｃ）は防塵シャッター開状態を示している。
【００４７】
図１２（ａ）〜図１２（ｃ）では、防塵シャッター３０の位置を、当該防塵シャッター３０の背面端部を基準に規定している。図１２（ａ）は前述の被覆位置Ｘに相当し、防塵シャッター３０が閉じており、充電端子部４１が防塵シャッター３０により被覆される。図１２（ｃ）は、露出位置Ｙに相当し、防塵シャッター３０が開いており、充電端子部４１が露出される。更に、図１２（ｂ）は、追加付勢区間内の追加付勢開始位置Ｚを示しており、板バネ４７１、４７２の段差部４７１ｄ、４７２ｄに防塵シャッター３０が当接している。
【００４８】
図７〜図１２を用いて、マイク装置１を装着部２０に装着する動作に応じて、防塵シャッター３０が移動する動作を説明する。
まず、マイク装置１を装着部２０に装着する前の防塵シャッター閉状態においては、図７に示されるように、トーションバネ４６の第１の端部４６２が防塵シャッター３０のトーションバネ当接面３６に当接することにより、防塵シャッター３０が、露出位置Ｙから、被覆位置Ｘに向けて、基本付勢力Ｆ１で付勢されている。これにより、図７および図１０（ａ）に示されるように、防塵シャッター３０が被覆位置Ｘに配置され、充電端子部４１が防塵シャッター３０により被覆される。この結果、充電端子部４１に塵や埃が付着するのを防止することができる。また、マイク装置１を装着部２０に装着する前の状態において、防塵シャッター３０は板バネ４７１、４７２には当接されておらず、防塵シャッター３０には、板バネ４７１、４７２による付勢力は付加されていない。
【００４９】
次に、上述した防塵シャッター閉状態のマイク用充電装置１００に対して、マイク装置１を装着する動作を説明する。マイク装置１の下端部を図７（ａ）の矢印αの方向に押し込むことにより、マイク装置１がアダプター３の貫通穴３ａを介して、装着部２０に装着される。このマイク装置１の装着動作の際に、マイク装置１が防塵シャッター３０に押し付けられる。そして、マイク装置１の下端部が防塵シャッター３０の摺動傾斜面３１を押し、防塵シャッター３０が、トーションバネ４６による基本付勢力Ｆ１を常に受けながら、被覆位置Ｘから露出位置Ｙの方向に向けて移動する。防塵シャッター３０の移動動作に合わせて、マイク装置１の下端部が摺動傾斜面３１上を移動する。このとき、防塵シャッター３０の移動方向は、当該防塵シャッター３０の被ガイド溝３３と上筐体１１の凸状ガイドレール１１３とが互いに嵌り合うことにより、規制されている。また、基本付勢力Ｆ１は、防塵シャッター３０が露出位置Ｙへ向けて移動するに従って、増大する。
【００５０】
防塵シャッター３０が、図８、図１０（ａ）、図１１および図１２（ｂ）に示されるように、追加付勢開始位置Ｚに達すると、防塵シャッター３０の板バネ当接部３５ａ、３５ｂが板バネ４７１、４７２の段差部４７１ｄ、４７２ｄに当接し、基本付勢力Ｆ１に加えて、板バネ４７１、４７２による付勢力が防塵シャッター３０に付与される。このとき、基本付勢力Ｆ１に加えて付加される付勢力を前述の通り、追加付勢力Ｆ２とする。この追加付勢力Ｆ２は、前述の通り、追加付勢区間で付与される。追加付勢区間は、板バネ当接部３５ａ、３５ｂが段差部４７１ｄ、４７２ｄに当接する追加付勢開始位置Ｚで始まり、板バネ当接部３５ａ、３５ｂが段差部４７１ｄ、４７２ｄを乗り越える位置で終わる。
【００５１】
このように、追加付勢区間では、トーションバネ４６による基本付勢力Ｆ１に加えて、板バネ４７１、４７２による追加付勢力Ｆ２が付与されている防塵シャッター３０は、追加付勢状態になる。追加付勢状態では、防塵シャッター３０への付勢力がＦ１＋Ｆ２と大きくなり、この付勢力Ｆ１＋Ｆ２に対抗して、マイク装置１を装着部２０に装着するための装着力も大きくなる。
【００５２】
なお、防塵シャッター３０が追加付勢開始位置Ｚに達した時点では、マイク装置１は装着部２０に完全に装着されておらず、マイク装置１の受電端子（不図示）も充電端子部４１に接続していない。
【００５３】
次に、上述した防塵シャッター中間状態から防塵シャッター開状態に移るまでの動作を説明する。マイク装置１の下端部を継続して更に矢印αの方向に押し込むことにより、マイク装置１の下端部が防塵シャッター３０の摺動傾斜面３１上を更に摺動すると共に、防塵シャッター３０が、トーションバネ４６による基本付勢力Ｆ１と、板バネ４７１、４７２による追加付勢力Ｆ２とを合わせて受けながら、上述の追加付勢状態のままで、被覆位置Ｘから露出位置Ｙの方向に向けて移動する。
【００５４】
マイク装置１の下端部を更に矢印αの方向に押し込まれて、防塵シャッター３０の板バネ当接部３５ａ、３５ｂが板バネ４７１、４７２の段差部４７１ｄ、４７２ｄを乗り越えたときに追加付勢区間が終わり、追加付勢力Ｆ２による追加付勢状態が開放される。追加付勢状態から開放された直後のマイク装置１には、開放直前と同じ強い装着力が付与される。これにより、マイク装置１の下端部が防塵シャッター３０の摺動傾斜面３１上を更に摺動し、防塵シャッター３０が露出位置Ｙまで移動し、マイク装置１の下端部が、防塵シャッター３０の前側で摺動傾斜面３１から降りて、充電端子部４１に向けて移動する。このとき、矢印αの方向のマイク装置１の装着力が大きくなるので、マイク装置１に大きな加速度が生じて大きな速度が加わり、マイク装置１が矢印αの方向に勢いよく移動する。そして、図９、図１０（ｃ）および図１２（ｃ）に示されるように、マイク装置１が装着部２０に装着され、マイク装置１の受電端子（不図示）が充電端子部４１に勢いよく接続される。なお、追加付勢区間の終端は、露出位置Ｙの少し手前から露出位置Ｙまでの間に設定されている。
【００５５】
ここで、板バネ４７１、４７２は、追加付勢力Ｆ２に対抗して、マイク装置１が装着部２０に装着される際の装着力が、マイク装置１の受電端子（不図示）が充電端子部４１に接続するための端子接続荷重よりも大きくなるように、設けられている。これにより、マイク装置１が装着部２０に装着される際の装着力が、マイク装置１の受電端子（不図示）が充電端子部４１に接続するための端子接続荷重よりも確実に大きくなるので、充電端子部４１をマイク装置１の受電端子に確実に接続できる。
【００５６】
なお、マイク装置１を装着部２０から矢印αと逆方向に抜き去ると、トーションバネ４６の基本付勢力Ｆ１により、防塵シャッター３０が被覆位置Ｘに移動する。このように、マイク装置１の抜去動作に応じて、防塵シャッター３０を被覆位置Ｘに移動させることができ、充電端子部４１を防塵シャッター３０により被覆することができる。
【００５７】
以上のように、本発明では、防塵シャッター３０を付勢するトーションバネ４６を設けたことにより、マイク用充電装置１００の装着部２０への装着動作または抜去動作に応じて、防塵シャッター３０を被覆位置Ｘおよび露出位置Ｙの間を移動可能にした。これにより、マイク装置１の装着動作または抜去動作に連動して防塵シャッター３０が移動させて、充電端子部４１を被覆または露出することができるので、操作利便性が良い。
【００５８】
また、トーションバネ４６により、被覆位置Ｘと露出位置Ｙとの間で、露出位置Ｙから被覆位置Ｘへの方向に向けて基本付勢力Ｆ１を防塵シャッター３０に付与している。更に、板バネ４７１、４７２により、被覆位置Ｘと露出位置Ｙとの間に設けられた追加付勢区間で、露出位置Ｙから被覆位置Ｘへの方向に向けて防塵シャッター３０を付勢することにより、基本付勢力Ｆ１に加えて追加付勢力Ｆ２を防塵シャッター３０に付与し、追加付勢状態としている。そして、防塵シャッター３０が追加付勢区間の終端に達したとき、追加付勢状態を開放するようにした。これにより、マイク装置１をマイク用充電装置１００に装着する際の装着力が板バネ４７１、４７２の付勢部材の付勢力に対抗して大きくなり、開放直前の強い装着力でもって、充電端子部４１とマイク装置１の受電端子（不図示）とが勢いよく接続される。これに応じて、充電端子部４１がマイク装置１の受電端子に接続するときの荷重を大きくできるので、嵌合構造等の複雑な構成を必要とすることなく、マイク装置１の受電端子と充電端子部４１との間の接続不良を低減できる。従って、操作の利便性を高めるとともに、嵌合構造等の複雑な構成を必要とすることなく、マイク装置１の受電端子（不図示）と充電端子部４１との間の接続不良を低減できる。
【００５９】
また、防塵シャッター３０の板バネ当接部３５ａ、３５ｂが、段差部４７１ｄ、４７２ｄを有する板バネ４７１、４７２に当接するようにして、防塵シャッター３０が被覆位置Ｘから移動して、板バネ当接部３５ａ、３５ｂが段差部４７１ｄ、４７２ｄに当接する位置から、板バネ当接部３５ａ、３５ｂが段差部４７１ｄ、４７２ｄを乗り越える位置までの区間を追加付勢区間とした。この構成により、追加付勢区間における防塵シャッター30に対する適切な追加付勢力Ｆ２の付与を、段差部４７１ｄ、４７２ｄを有する板バネ４７１、４７２を設けるという簡単な構成により実現できる。従って、嵌合構造等の複雑な構成を必要とすることなく、充電端子部４１とマイク装置１の受電端子との間の接続不良を低減できる。
【００６０】
また、板バネ４７１、４７２は、防塵シャッター３０が被覆位置Ｘから移動して露出位置Ｙに達したとき、追加付勢力Ｆ２に対抗して、マイク装置１を装着部２０に装着するための装着力が、充電端子部４１がマイク装置１の受電端子（不図示）に接続するための端子接続荷重よりも大きくなるように、設けられている。
【００６１】
これにより、マイク装置１が装着部２０に装着される際の装着力が、マイク装置１の受電端子（不図示）が充電端子部４１に接続するための端子接続荷重よりも確実に大きくなるので、充電端子部４１をマイク装置１の受電端子に確実に接続できる。この結果、マイク装置１の受電端子と充電端子部４１との間の接続不良を低減できる。
【００６２】
以上、本発明の実施の形態を例示により説明したが、本発明の範囲はこれらに限定されるものではなく、請求項に記載された範囲内において目的に応じて変更・変形することが可能である。
【００６３】
上記実施の態様では、電気機器をマイク装置として説明したが、電気機器は、電気機器接続装置の接続端子に接続される被接続端子を有していれば、携帯電話機や電子手帳等、いかなる電子装置であってもよい。また、上記実施の態様では、電気機器接続装置をマイク用充電装置として説明したが、電気機器接続装置は、電気装置の被接続端子に接続される接続端子を有していれば、いかなる電気機器接続装置であってもよい。従って、電気機器接続装置は、電気機器を充電するための充電装置に限定されない。
【産業上の利用可能性】
【００６４】
以上のように、本発明は、操作の利便性を高めるとともに、嵌合構造等の複雑な構成を必要とすることなく、電子機器の被接続端子と接続端子との間の接続不良を低減できるという効果を有し、マイク装置、携帯電話機、電子手帳等に代表される電子機器を充電するための充電装置等に有用である。
【図面の簡単な説明】
【００６５】
【図１】本発明の実施の形態におけるマイク用充電装置の内部構成を示す分解斜視図
【図２】本発明の実施の形態におけるマイク用充電装置の外観斜視図
【図３】充電端子部ＡＳＳＹの分解斜視図
【図４】（ａ）マイク装置をマイク用充電装置に装着する前の状態を示す斜視図  （ｂ）マイク装置をマイク用充電装置に装着した後の状態を示す斜視図
【図５】（ａ）マイク装置をマイク用充電装置に装着する前の状態を示す上面図  （ｂ）マイク装置をマイク用充電装置に装着する前の状態を示す正面図  （ｃ）マイク装置をマイク用充電装置に装着する前の状態を示す側面図
【図６】（ａ）マイク装置をマイク用充電装置に装着した後の状態を示す上面図  （ｂ）マイク装置をマイク用充電装置に装着した後の状態を示す正面図  （ｃ）マイク装置をマイク用充電装置に装着した後の状態を示す側面図
【図７】防塵シャッター閉状態を示す断面斜視図
【図８】防塵シャッター中間状態を示す断面斜視図
【図９】防塵シャッター開状態を示す断面斜視図
【図１０】（ａ）防塵シャッター閉状態を示す上面図  （ｂ）防塵シャッター中間状態を示す上面図  （ｃ）防塵シャッター開状態を示す上面図
【図１１】防塵シャッター中間状態における防塵シャッターの板バネ当接部周辺の拡大図
【図１２】（ａ）防塵シャッター閉状態における防塵シャッターと板バネとの配置関係を示す上面図  （ｂ）防塵シャッター中間状態における防塵シャッターと板バネとの配置関係を示す上面図  （ｃ）防塵シャッター開状態における防塵シャッターと板バネとの配置関係を示す上面図
【符号の説明】
【００６６】
１、２  マイク装置
３  アダプター
１０  筐体
１１  上筐体
１１３  凸状ガイドレール
１２  下筐体
２０  装着部
３０  防塵シャッター
３１  摺動傾斜面
３２  端子用開口部
３３  被ガイド溝
３５、３５ａ、３５ｂ  板バネ当接部
３６  トーションバネ当接面
４０  充電端子部ＡＳＳＹ
４１  充電端子部
４６  トーションバネ
４６１ａ、４６１ｂ  コイル軸部
４７１、４７２  板バネ
４７１ａ、４７２ａ  取り付け部
４７１ｂ、４７２ｂ  先端部
４７１ｄ、４７２ｄ  段差部
１００  マイク用充電装置
【図１】
2008219990.tif 000003
【図２】
2008219990.tif 000004
【図３】
2008219990.tif 000005
【図４】
2008219990.tif 000006
【図５】
2008219990.tif 000007
【図６】
2008219990.tif 000008
【図７】
2008219990.tif 000009
【図８】
2008219990.tif 000010
【図９】
2008219990.tif 000011
【図１０】
2008219990.tif 000012
【図１１】
2008219990.tif 000013
【図１２】
2008219990.tif 000014